(57)【要約】【課題】  ケーブルに細工をする不正や、障害の予兆などを判定することが可能になるだけでなく、抵抗値が異なる断線抵抗にも容易に対応することができる信号処理装置を提供する。【解決手段】  信号出力端子２２に接点２１及び抵抗Ｒが並列に接続された遊技場機器の出力信号を処理対象とし、当該遊技場機器の信号出力端子２２にケーブル３０を介して接続される信号処理装置であって、ケーブル３０を介して、遊技場機器の信号出力端子２２間に常時電圧を印加し、その電圧変化を検出する信号検出部４０と、信号検出部４０が検出した検出電圧を、その電圧レベルを示すデジタル信号に変換するＡ／Ｄ変換部５０と、検出電圧レベルにもとづいて、接点２１及びケーブル３０の状態を判定する状態判定部６０とを備える。【選択図】      図２
2005127862.tif 000002
【特許請求の範囲】
【請求項１】
信号出力端子に接点及び抵抗が並列に接続された遊技場機器の出力信号を処理対象とし、当該遊技場機器の前記信号出力端子にケーブルを介して接続される信号処理装置であって、
前記ケーブルを介して、前記遊技場機器の前記信号出力端子間に常時電圧を印加し、その電圧変化を検出する信号検出部と、
前記信号検出部が検出した検出電圧を、その電圧レベルを示すデジタル信号に変換するＡ／Ｄ変換部と、
前記検出電圧レベルにもとづいて、前記接点及び前記ケーブルの状態を判定する状態判定部と
を備えることを特徴とする信号処理装置。
【請求項２】
前記状態判定部が、初期設定時に入力した前記検出電圧レベルを、接点オフ判定値として記憶する
ことを特徴とする請求項１記載の信号処理装置。
【請求項３】
前記状態判定部が、接点オン判定値、接点オフ判定値及び断線判定値をあらかじめ記憶し、これらの判定値と前記検出電圧レベルとの比較にもとづいて、接点オン状態、接点オフ状態及び断線状態を判定するとともに、前記検出電圧レベルがいずれの前記判定値にも該当しないとき、異常であると判定する
ことを特徴とする請求項１又は２記載の信号処理装置。
【請求項４】
前記状態判定部が、断線状態の判定後に接点オン状態の判定をしたとき、又は、接点オン状態の判定後に断線状態の判定をしたとき、前記抵抗が接続されていないと判定する
ことを特徴とする請求項１〜３のいずれかに記載の信号処理装置。
【請求項５】
前記状態判定部が、断線状態の判定後に接点オフ状態の判定をしたとき、断線状態から正常状態に復旧したと判定する
ことを特徴とする請求項１〜４のいずれかに記載の信号処理装置。
【請求項６】
前記状態判定部が、断線判定時、異常判定時、抵抗非接続判定時、又は復旧判定時に、報知部を動作させる
ことを特徴とする請求項１〜５のいずれかに記載の信号処理装置。
【発明の詳細な説明】
【技術分野】
【０００１】
本発明は、遊技場に設置される遊技機、遊技媒体貸出機、遊技媒体計数機、カード発行機、両替機、精算機、景品交換機などの遊技場機器に接続され、これらの遊技場機器から出力される信号を処理する台ユニット、島ユニット、ホールコンピュータなどの信号処理装置に関する。
【背景技術】
【０００２】
パチンコホールなどの遊技場には、遊技機、遊技媒体貸出機、遊技媒体計数機、カード発行機、両替機、精算機、景品交換機などの遊技場機器が設置されている。これらの遊技場機器は、通常、信号出力端子を備えており、この信号出力端子から動作状態に応じた信号を出力するように構成されている。
そして、遊技場機器から出力される信号は、台ユニット、島ユニット、ホールコンピュータなどの信号処理装置に入力され、遊技データや売上データの集計・表示、不正行為の監視などに利用されている。
【０００３】
ところで、上記のような信号処理装置は、遊技場機器との間を繋ぐ信号経路の障害（断線、接続不良、短絡など）に起因し、遊技場機器の動作状態を誤認する可能性があるため、近年では、断線検出機能などを備えた信号処理装置が提案されている（例えば、特許文献１〜３参照。）。
【０００４】
この種の信号処理装置は、信号出力端子に接点及び抵抗（以下、断線抵抗という）が並列に接続された遊技場機器の出力信号を処理対象とし、当該遊技場機器の信号出力端子間に、ケーブルを介して常時電圧を印加するとともに、その電圧変化にもとづいて、接点オン状態、接点オフ状態及び断線状態を判定している。
つまり、接点オフ状態であっても、断線抵抗を介して通電状態を維持するので、接点オフ時と断線時の検出電圧に差が生じ、断線の検出が可能になる。
【特許文献１】特開平７−２７５４３４号公報
【特許文献２】特開２０００−３００８１５号公報
【特許文献３】特開２００２−１２２６２６号公報
【発明の開示】
【発明が解決しようとする課題】
【０００５】
しかしながら、特許文献１〜３に示される信号処理装置の信号検出回路は、検出電圧の変化に応じて、複数のスイッチ素子（フォトカプラ、トランジスタなど）を選択的にオン／オフし、三種類の検出信号（接点オン、接点オフ及び断線）を出力するに過ぎないため、ケーブルに細工をする不正や、障害（例えば、接触不良やリーク等）の予兆などを判定することは困難であった。
例えば、図８に示すように、断線抵抗と同等の抵抗をケーブル間に接続した後、遊技場機器側でケーブルの接続を外して、接点オフ状態を偽装するような不正が行われた場合、特許文献１〜３のものでは検出が困難であった。
【０００６】
また、遊技場機器側に設けられる断線抵抗の抵抗値は、メーカなどによって相違し、適当な範囲（例えば、１ｋΩ〜１０ｋΩ）で任意に選定されているため、検出電圧の変化に応じて、複数のスイッチ素子を選択的にオン／オフさせる上記のものでは、断線抵抗の抵抗値に適合するように回路構成を変更したり、各種の抵抗値に対応し得る複雑な回路を構成する必要があった。
【０００７】
本発明は、上記の事情にかんがみなされたものであり、ケーブルに細工をする不正や、障害の予兆などを判定することが可能になるだけでなく、抵抗値が異なる断線抵抗にも容易に対応することができる信号処理装置の提供を目的とする。
【課題を解決するための手段】
【０００８】
上記目的を達成するため本発明の信号処理装置は、信号出力端子に接点及び抵抗が並列に接続された遊技場機器の出力信号を処理対象とし、当該遊技場機器の前記信号出力端子にケーブルを介して接続される信号処理装置であって、前記ケーブルを介して、前記遊技場機器の前記信号出力端子間に常時電圧を印加し、その電圧変化を検出する信号検出部と、前記信号検出部が検出した検出電圧を、その電圧レベルを示すデジタル信号に変換するＡ／Ｄ変換部と、前記検出電圧レベルにもとづいて、前記接点及び前記ケーブルの状態を判定する状態判定部とを備える構成としてある。
【０００９】
このように構成すれば、状態判定部は、信号検出部の検出電圧をデジタル信号として読み取り、微弱な電圧変化にもとづいて、信号経路における様々な状態変化を判定することが可能になる。これにより、ケーブルの細工などを判定して、信号経路のセキュリティを高めることができるだけでなく、障害の予兆などを判定して、障害の発生を事前に防止することができる。
また、状態判定部をＣＰＵで構成し、各種の判定条件をソフトウエア上で設定することが可能になるため、回路構成を変更することなく、抵抗値が異なる断線抵抗にも容易に対応することができる。
【００１０】
また、本発明の信号処理装置は、前記状態判定部が、初期設定時に入力した前記検出電圧レベルを、接点オフ判定値として記憶する構成としてある。
このように構成すれば、遊技場機器と信号処理装置を接続する際、断線抵抗の抵抗値を調べたり、その抵抗値に応じて接点オフ判定値を変更する手間を省くことができる。
【００１１】
また、本発明の信号処理装置は、前記状態判定部が、接点オン判定値、接点オフ判定値及び断線判定値をあらかじめ記憶し、これらの判定値と前記検出電圧レベルとの比較にもとづいて、接点オン状態、接点オフ状態及び断線状態を判定するとともに、前記検出電圧レベルがいずれの前記判定値にも該当しないとき、異常であると判定する構成としてある。
このように構成すれば、検出電圧に変化が生じる異常を確実に判定することが可能になる。例えば、断線抵抗と同等の抵抗をケーブル間に接続した後、遊技場機器側でケーブルの接続を外して、接点オフ状態を偽装するような不正が行われた場合、ケーブルに抵抗が接続された時点でこの不正を判定することができる。
【００１２】
また、本発明の信号処理装置は、前記状態判定部が、断線状態の判定後に接点オン状態の判定をしたとき、又は、接点オン状態の判定後に断線状態の判定をしたとき、前記抵抗が接続されていないと判定する構成としてある。
このように構成すれば、断線抵抗が接続されていない状態を、ケーブルの断線や接続不良と誤認することなく、確実に判別することが可能になる。
【００１３】
また、本発明の信号処理装置は、前記状態判定部が、断線状態の判定後に接点オフ状態の判定をしたとき、断線状態から正常状態に復旧したと判定する構成としてある。
このように構成すれば、断線状態から復旧した後、接点オフ判定値などを再設定することなく、速やかに信号処理を再開することが可能になる。
【００１４】
また、本発明の信号処理装置は、前記状態判定部が、断線判定時、異常判定時、抵抗非接続判定時、又は復旧判定時に、報知部を動作させる構成としてある。
このように構成すれば、管理者が、各種の異常（不正を含む）及び復旧を容易に認識することが可能になるため、管理者の適切な対応を促すことができる。
【発明の効果】
【００１５】
以上のように、本発明によれば、信号検出部の検出電圧をデジタル信号に変換するので、微弱な電圧変化にもとづいて、ケーブルに細工をする不正や、障害の予兆などを判定することが可能になる。
また、各種の判定条件をソフトウエア上で設定することが可能になるため、回路構成を変更することなく、抵抗値が異なる断線抵抗にも容易に対応することができる。
【発明を実施するための最良の形態】
【００１６】
以下、本発明の実施形態について、図面を参照して説明する。
図１は、ホールの構成を示すブロック図である。
この図に示すように、ホールには、遊技機１、遊技媒体貸出機２、遊技媒体計数機３、カード発行機４、両替機５、精算機６、景品交換機７などの遊技場機器が設置されている。
これらの遊技場機器は、信号出力端子を備えており、この信号出力端子から動作状態に応じた信号を出力するように構成されている。
【００１７】
また、ホールには、遊技場機器から出力される信号を処理するために、台ユニット８、島ユニット９、ホールコンピュータ１０などの信号処理装置が設置されている。
台ユニット８は、遊技場機器に接続され、遊技場機器から出力される信号を蓄積又は集計し、これを島ユニット９へ出力するサブ管理装置である。
【００１８】
島ユニット９は、台ユニット８や遊技場機器に接続され、台ユニット８や遊技場機器から入力した信号を蓄積又は集計し、これをホールコンピュータ１０へ出力するサブ管理装置である。
ホールコンピュータ１０は、島ユニット９や遊技場機器に接続され、島ユニット９や遊技場機器から入力した信号を集計し、その表示や保存を行うメイン管理装置である。
【００１９】
なお、台ユニット８又は島ユニット９の一方又は双方は、省略できる。
台ユニット８を省略した場合は、遊技場機器と島ユニット９とを直接接続することができる。島ユニット９を省略した場合は、台ユニット８とホールコンピュータ１０とを直接接続することができる。
そして、台ユニット８と島ユニット９との双方を省略したときは、遊技場機器とホールコンピュータ１０とを直接接続することができる。
【００２０】
図２は、ケーブルを介して接続された遊技場機器及び信号処理装置のブロック図である。
この図に示すように、遊技場機器は、前述した信号を出力するために、信号出力部２０を備えている。この信号出力部２０は、遊技場機器の動作状態に応じてオン／オフされる接点２１（半導体を含む）と、接点信号を出力する一対の信号出力端子２２と、接点２１に並列に接続される断線抵抗Ｒとを備えて構成されている。
断線抵抗Ｒは、信号処理装置が接点オフ状態と断線状態を識別するために設けられている。ただし、断線抵抗Ｒの抵抗値は、メーカなどによって相違し、適当な範囲（例えば、１ｋΩ〜１０ｋΩ）で任意に選定されている。
【００２１】
図２に示すように、信号処理装置は、ケーブル３０を介して遊技場機器の出力信号を検出する信号検出部４０と、信号検出部４０が検出した検出電圧を、その電圧レベルを示すデジタル信号に変換するＡ／Ｄ変換部５０と、この検出電圧レベルにもとづいて、接点２１及びケーブル３０の状態を判定する状態判定部６０と、各種の判定値や集計データを記憶する記憶部７０と、各種の報知動作を行う報知部８０と、上位管理装置へデータを出力するデータ出力部９０とを備えて構成されている。
【００２２】
なお、同図においては、信号検出部４０，Ａ／Ｄ変換部５０，状態判定部６０，記憶部７０，報知部８０，データ出力部９０をすべて一つの信号処理装置に設けた構成としてあるが、それら信号検出部４０等は、すべて一つの信号処理装置に設ける必要はなく、それらの一部を他の信号処理装置に設けることもできる。
例えば、一の信号処理装置（例として島ユニット９）に、信号検出部４０，Ａ／Ｄ変換部５０，報知部８０，データ出力部９０を設け、他の信号処理装置（例としてホールコンピュータ１０）に、状態判定部６０や記憶部７０を設けることもできる。
【００２３】
図３は、信号検出部を示す回路図である。
この図に示すように、信号検出部４０は、信号入力端子４１及びケーブル３０を介して、遊技場機器の信号出力端子２２間に常時電圧を印加し、その電圧変化を検出するものであれば、回路構成は特に限定されない。
例えば、図３に示される信号検出部４０は、一方の信号出力端子２２に、抵抗Ｒ１を介して電源のプラス側を繋ぐ電流供給経路４２と、他方の信号出力端子２２に、直接又は抵抗Ｒ２を介して電源のマイナス側を繋ぐ電流戻り経路４３と、電流供給経路４２又は電流戻り経路４３から検出信号Ｖｓを得る信号検出端子４４とを備えて構成されている。
【００２４】
信号検出端子４４から得られる検出信号Ｖｓは電圧信号であり、その検出電圧レベルは、接点２１及びケーブル３０の状態に応じて変化する。断線状態及び接点オン状態における検出電圧レベルは、信号検出部４０の回路構成によって決まるため、ほぼ固定であるが、接点オフ状態における検出電圧レベルは、遊技場機器に設けられる断線抵抗Ｒの抵抗に応じて、所定の範囲で変動する。
【００２５】
図４は、Ａ／Ｄ変換部の作用を示す説明図である。
この図に示すように、Ａ／Ｄ変換部５０は、アナログ信号である信号検出部４０の検出電圧を、その電圧レベルを示すデジタル信号に変換して、状態判定部６０に入力するように構成されている。
例えば、図４に示すように、４ビット出力のＡ／Ｄ変換回路を用いてＡ／Ｄ変換部５０を構成した場合、信号検出部４０の検出電圧は、１６段階の電圧レベル（０〜Ｆ）を示す４ビットのデジタル信号に変換される。
【００２６】
状態判定部６０は、Ａ／Ｄ変換された検出電圧レベルにもとづいて、接点２１及びケーブル３０の状態を判定するものであれば、回路構成は特に限定されない。例えば、デジタルＩＣ回路やＣＰＵを用いて状態判定部６０を構成することができる。本実施形態では、ＣＰＵを用いて状態判定部６０を構成するものとし、その動作手順をフローチャートを参照して説明する。
ただし、接点オン状態を判定するための接点オン判定値（０、１）と、断線状態を判定するために断線判定値（Ｅ、Ｆ）は、あらかじめ記憶部７０に記憶されているものとする。
【００２７】
図５は、状態判定部のメインルーチンを示すフローチャートである。
この図に示すように、状態判定部６０は、システムの起動又は再起動に応じて、まず、初期設定処理（Ｓ１００）を実行した後、検出電圧レベルにもとづいて、接点２１及びケーブル３０の状態を判定する入力処理（Ｓ２００）と、入力信号の集計や保存を行うメイン処理（Ｓ３００）と、上位管理装置にデータを出力する出力処理（Ｓ４００）とを繰り返し実行する。
【００２８】
図６は、状態判定部の初期設定処理を示すフローチャートである。
この図に示すように、初期設定処理では、まず、Ａ／Ｄ変換部５０から検出電圧レベルを所定の周期で複数回読み込み、これらの読み込み値を比較して現在の検出電圧レベルを特定する（Ｓ１０１）。これは、変動中の検出電圧レベルにもとづいて、誤った判定が行われることを防止するためである。
【００２９】
つぎに、現在の検出電圧レベルが接点オフ判定領域（４〜Ｂ）に含まれるか否かを判断するとともに（Ｓ１０２）、この判断がＹＥＳの場合は、現在の検出電圧レベルを、接点オフ判定値として記憶部７０に記憶する（Ｓ１０３）。つまり、接点オフ判定値は、遊技場機器に設けられる断線抵抗Ｒの抵抗値に応じて変動するため、接点オフ状態であるシステム起動時の検出電圧レベルを利用し、これを接点オフ判定値としている。
【００３０】
これにより、遊技場機器と信号処理装置を接続する際、断線抵抗Ｒの抵抗値を調べたり、その抵抗値に応じて接点オフ判定値を変更する手間を省くことが可能になる。
なお、現在の検出電圧レベルが接点オフ判定領域（４〜Ｂ）に含まれない場合は、所定のエラー処理（Ｓ１０４）を実行し、検出電圧レベルの読み込みを繰り返す。
【００３１】
図７は、状態判定部の入力処理を示すフローチャートである。
この図に示すように、入力処理では、まず、Ａ／Ｄ変換部５０から検出電圧レベルを所定の周期で複数回読み込み、これらの読み込み値を比較して現在の検出電圧レベルを特定する（Ｓ２０１）。
つぎに、現在の検出電圧レベルが断線判定値（Ｅ、Ｆ）に含まれるか否かを判断し（Ｓ２０２）、この判断がＹＥＳの場合は、さらに前回の判定が接点オン状態であったか否かを判断する（Ｓ２０３）。そして、この判断がＮＯである場合は、断線状態であると判定し、断線状態を報知する（Ｓ２０４）。一方、前回の判定が接点オン状態であった場合、断線抵抗Ｒが接続されていないと判定し、異常を報知する（Ｓ２０５）。
【００３２】
また、現在の検出電圧レベルが接点オン判定値（０、１）に含まれる場合は（Ｓ２０６）、前回の判定が断線状態であったか否かを判断する（Ｓ２０７）。そして、この判断がＮＯである場合は、接点オン状態であると判定する（Ｓ２０８）。一方、前回の判定が断線状態であった場合は、断線抵抗Ｒが接続されていないと判定し、異常を報知する（Ｓ２０５）。
【００３３】
また、現在の検出電圧レベルが初期設定処理で記憶した接点オフ判定値に含まれる場合は（Ｓ２０９）、前回の判定が断線状態であったか否かを判断する（Ｓ２１０）。そして、この判断がＮＯである場合は、接点オフ状態であると判定する（Ｓ２１１）。一方、前回の判定が断線状態であった場合は、断線状態から正常状態に復帰したと判定し、正常復旧を報知する（Ｓ２１２）。
【００３４】
また、現在の検出電圧レベルが断線判定値、接点オン判定値及び接点オフ判定値のいずれにも含まれない場合は、なんらかの不正が行われたと判定し、これを報知する（Ｓ２１３）。例えば、断線抵抗Ｒと同等の抵抗をケーブル３０間に接続した後、遊技場機器側でケーブル３０の接続を外して、接点オフ状態を偽装するような不正が行われた場合、ケーブル３０に抵抗が接続された時点でこの不正を判定し、これを報知することが可能になる。
【００３５】
以上のように構成された本実施形態によれば、状態判定部６０は、信号検出部４０の検出電圧をデジタル信号として読み取り、微弱な電圧変化にもとづいて、信号経路における様々な状態変化を判定することが可能になる。これにより、ケーブルの細工などを判定して、信号経路のセキュリティを高めることができる。
また、状態判定部６０をＣＰＵで構成し、各種の判定条件をソフトウエア上で設定することが可能になるため、回路構成を変更することなく、抵抗値が異なる断線抵抗Ｒにも容易に対応することができる。
【００３６】
また、状態判定部６０は、初期設定時に入力した検出電圧レベルを、接点オフ判定値として記憶するので、遊技場機器と信号処理装置を接続する際、断線抵抗Ｒの抵抗値を調べたり、その抵抗値に応じて接点オフ判定値を変更する手間を省くことができる。
【００３７】
また、状態判定部６０は、接点オン判定値、接点オフ判定値及び断線判定値をあらかじめ記憶し、これらの判定値と検出電圧レベルとの比較にもとづいて、接点オン状態、接点オフ状態及び断線状態を判定するとともに、検出電圧レベルがいずれの判定値にも該当しないとき、異常であると判定するので、検出電圧に変化が生じる異常を確実に判定することが可能になる。
例えば、断線抵抗Ｒと同等の抵抗をケーブル３０間に接続した後、遊技場機器側でケーブル３０の接続を外して、接点オフ状態を偽装するような不正が行われた場合、ケーブル３０に抵抗が接続された時点でこの不正を判定することができる。
【００３８】
また、状態判定部６０は、断線状態の判定後に接点オン状態の判定をしたときや、接点オン状態の判定後に断線状態の判定をしたとき、断線抵抗Ｒが接続されていないと判定するので、断線抵抗Ｒが接続されていない状態を、ケーブル３０の断線や接続不良と誤認することなく、確実に判別することができる。
【００３９】
また、状態判定部６０は、断線状態の判定後に接点オフ状態の判定をしたとき、断線状態から正常状態に復旧したと判定するので、断線状態から復旧した後、接点オフ判定値などを再設定することなく、速やかに信号処理を再開することができる。
【００４０】
また、状態判定部６０は、断線判定時、異常判定時、抵抗非接続判定時、又は復旧判定時に、報知部８０を動作させるので、管理者が、各種の異常（不正を含む）及び復旧を容易に認識でき、その結果、管理者の適切な対応を促すことが可能になる。
【００４１】
なお、本発明は、前記実施形態に限定されないことは勿論であり、例えば、信号検出部の検出電圧レベルにもとづいて、接触不良やリークなどの障害の予兆を判定するようにしても良い。このようにすると、障害の発生を事前に防止することが可能になる。
【産業上の利用可能性】
【００４２】
本発明は、遊技場に設置される遊技機、遊技媒体貸出機、遊技媒体計数機、カード発行機、両替機、精算機、景品交換機などの遊技場機器に接続され、これらの遊技場機器から出力される信号を処理する台ユニット、島ユニット、ホールコンピュータなどの信号処理装置に適用される。特に、遊技場機器から直接信号を入力する信号処理装置に有用である。
【図面の簡単な説明】
【００４３】
【図１】ホールの構成を示すブロック図である。
【図２】ケーブルを介して接続された遊技場機器及び信号処理装置のブロック図である。
【図３】信号検出部を示す回路図である。
【図４】Ａ／Ｄ変換部の作用を示す説明図である。
【図５】状態判定部のメインルーチンを示すフローチャートである。
【図６】状態判定部の初期設定処理を示すフローチャートである。
【図７】状態判定部の入力処理を示すフローチャートである。
【図８】ケーブルに細工をする不正の説明図である。
【符号の説明】
【００４４】
１  遊技機
２  遊技媒体貸出機
３  遊技媒体計数機
４  カード発行機
５  両替機
６  精算機
７  景品交換機
８  台ユニット
９  島ユニット
１０  ホールコンピュータ
２１  接点
２２  信号出力端子
３０  ケーブル
４０  信号検出部
５０  Ａ／Ｄ変換部
６０  状態判定部
７０  記憶部
８０  報知部
Ｒ  断線抵抗
【図１】
2005127862.tif 000003
【図２】
2005127862.tif 000004
【図３】
2005127862.tif 000005
【図４】
2005127862.tif 000006
【図５】
2005127862.tif 000007
【図６】
2005127862.tif 000008
【図７】
2005127862.tif 000009
【図８】
2005127862.tif 000010